(57)【要約】      （修正有）【課題】改良された無線回路を提供できる電子デバイスを提供する。【解決手段】電子デバイス１０は金属筐体１２を有してもよい。金属筐体は内部にディスプレイ１４などの構成要素が取り付けられる上側筐体１２Ａ及び内部にキーボード１６などの構成要素が取り付けられる下側筐体１２Ｂを有してもよい。回転軸２２の回りに回転するように上側筐体を下側筐体に取り付けるためにヒンジ２６Ａ及び２６Ｂを使用してもよい。スロット形状の開口部３０は上側及び下側筐体を分離してもよい。接地トレースを有するフレキシブルプリント回路は、それぞれが対応するキャビティアンテナと整列する３つの電気的に絶縁したスロットを形成するようにスロット形状の開口部を二分してもよい。アンテナは金属筐体及び他の導電性構造体の一部分から形成されたアンテナ接地を有してもよい。アンテナ用の共振素子は下側筐体の後縁部に沿った細長い通気ポート構造体により支持してもよい。【選択図】図１
0003210429.tif 000002
【実用新案登録請求の範囲】
【請求項１】
スロット形状の開口部により分離された、ディスプレイを収容する上側筐体部分、及び下側筐体部分を有する金属筐体と、
前記上側筐体部分を前記下側筐体部分に接続する、前記スロット形状の開口部の対向する縁部の第１及び第２のヒンジと、
前記スロット形状の開口部に沿って対応する第１及び第２の位置で前記スロット形状の開口部を橋絡する第１及び第２の導電性構造体であって、前記スロット形状の開口部の第１の部分は、前記第１のヒンジと前記第１の導電性構造体との間に形成され、前記スロット形状の開口部の第２の部分は、前記第１の導電性構造体と前記第２の導電性構造体との間に形成され、前記スロット形状の開口部の第３の部分は、前記第２の導電性構造体と前記第２のヒンジとの間に形成される、第１及び第２の導電性構造体と、
前記第１のスロット部分を通してアンテナ信号を送受信する第１のアンテナ、前記第２のスロット部分を通してアンテナ信号を送受信する第２のアンテナ、及び前記第３のスロット部分を通してアンテナ信号を送受信する第３のアンテナと、
を備えるポータブルコンピュータ。
【請求項２】
前記下側筐体部分の縁部に沿って延在し、気流通路として機能する通気ポート開口部を有する通気ポート構造体を更に備える、請求項１に記載のポータブルコンピュータ。
【請求項３】
前記第１、第２、及び第３のアンテナの少なくともいくつかが、前記通気ポート構造体上の金属トレースから形成される、請求項２に記載のポータブルコンピュータ。
【請求項４】
前記金属トレースの少なくとも一部分が、前記通気ポート開口部の少なくとも１つの中に延在する、請求項３に記載のポータブルコンピュータ。
【請求項５】
前記通気ポート構造体の一部分を貫通するビアを更に備える、請求項４に記載のポータブルコンピュータ。
【請求項６】
前記通気ポート開口部内に延在する前記金属トレースの前記一部分が、前記ビアに接続される、請求項５に記載のポータブルコンピュータ。
【請求項７】
前記第１及び第２の導電性構造体が、対応する第１及び第２のフレキシブルプリント回路上の金属トレースを含み、前記第１、第２、及び第３のアンテナが、それぞれ、プラスチック構造体上の逆Ｆアンテナ共振素子を有する、請求項１に記載のポータブルコンピュータ。
【請求項８】
前記プラスチック構造体が、空気が通過する複数の通気ポート開口部を有し、前記ポータブルコンピュータが、前記通気ポート開口部を通して空気を誘導する前記下側筐体部分内のファン構造体を更に備える、請求項７に記載のポータブルコンピュータ。
【請求項９】
前記逆Ｆアンテナ共振素子が、前記プラスチック構造体上の金属トレースを含み、前記金属トレースの少なくとも一部分は、前記通気ポート開口部の少なくとも１つの中に延在する、請求項８に記載のポータブルコンピュータ。
【請求項１０】
前記逆Ｆアンテナ共振素子が、前記プラスチック構造体上の金属トレースを含み、前記金属トレースの少なくとも一部分は、前記通気ポート開口部の少なくとも２つの間に延在する、請求項８に記載のポータブルコンピュータ。
【請求項１１】
少なくとも１つの通気ポート開口部を有するプラスチック構造体と、
前記通気ポート開口部を通して空気を誘導するファンと、
前記プラスチック構造体上のアンテナ共振素子と、
を備える装置。
【請求項１２】
前記アンテナ共振素子が、前記プラスチック構造体上の金属トレースを含み、前記金属トレースは、前記通気ポート開口部内に延在する部分を有する、請求項１１に記載の装置。
【請求項１３】
前記通気ポート開口部が、複数の通気ポート開口部のうちの１つを含み、前記金属トレースが、前記通気ポート開口部の間に延在するアームを含む、請求項１２に記載の装置。
【請求項１４】
第１の筐体と、
前記第１の筐体内のディスプレイと、
金属筐体壁を有する、内部に前記ファン及び前記プラスチック構造体が取り付けられる第２の筐体と、
金属トレースを前記金属筐体壁に短絡する指状突起部を有する金属部材と、
前記第１及び第２の筐体の間に第１、第２、及び第３のスロット形状の開口部を形成するように、前記第１及び第２の筐体の間の開口部を横切って延在する第１及び第２のフレキシブルプリント回路と、
を更に備える、請求項１１に記載の装置。
【請求項１５】
金属筐体と、
前記金属筐体内の電気構成要素と、
複数の通気ポート開口部を有するプラスチック製通気ポート構造体と、
前記通気ポート開口部を通して空気を誘導する前記金属筐体内のファンと、
前記プラスチック製通気ポート構造体上の金属トレースから形成されたアンテナ共振素子と、
を備える電子デバイス。
【請求項１６】
前記金属トレースの一部分が、前記通気ポート開口部の少なくとも１つの中に延在する、請求項１５に記載の電子デバイス。
【請求項１７】
前記プラスチック製通気ポート構造体の一部分を貫通し、前記金属トレースに結合された、金属が充填されたビアを更に備える、請求項１６に記載の電子デバイス。
【請求項１８】
前記金属筐体と前記金属トレースとの間に延在する導電性ガスケットを更に備える、請求項１５に記載の電子デバイス。
【請求項１９】
前記金属トレースが、第１のアンテナ用の第１のアンテナ共振素子を形成し、前記電子デバイスが、対応する第２及び第３のアンテナ用の前記通気ポート構造体上の第２及び第３のアンテナ共振素子を形成する、追加の金属トレースを更に備える、請求項１５に記載の電子デバイス。
【請求項２０】
前記第１及び第２のアンテナの間の第１のフレキシブルプリント回路と、
前記第２及び第３のアンテナの間の第２のフレキシブルプリント回路と、
ディスプレイと、
を更に備え、前記第１及び第２のフレキシブルプリント回路は、信号ラインを含み、前記信号ラインの少なくとも１つは、前記ディスプレイ用の信号を搬送する、請求項１９に記載の電子デバイス。
【考案の詳細な説明】
【背景技術】
【０００１】
本出願は、２０１６年１月２７日に出願された米国特許出願第１５／００８，１３９号に対する優先権を主張するものであり、本明細書における参照によりその全体が本明細書内に組み入れられる。
【０００２】
本出願は、全般的には、電子デバイスに関し、より具体的には、アンテナを有する無線電子デバイスに関する。
【０００３】
電子デバイスは、多くの場合、アンテナを含む。例えば、セルラー電話、コンピュータ、及び他のデバイスは、多くの場合、無線通信をサポートするためのアンテナを含む。
【０００４】
所望の特性を有する電子デバイス用アンテナ構造体を形成することは、困難なことがある。一部の無線デバイスでは、導電性筐体構造体の存在が、アンテナ性能に影響することがある。筐体構造体が適切に構成されておらずアンテナの動作に干渉する場合、アンテナ性能が、良好でないことがある。デバイスのサイズもまた、特性に影響することがある。小型のデバイスで所望の特性レベルを実現することは、特に小型のデバイスが導電性筐体構造体を有する場合、困難なことがある。
【０００５】
したがって、電子デバイスのための改良された無線回路を提供できることが望ましいであろう。
【考案の概要】
【０００６】
電子デバイスは、金属筐体を有することができる。金属筐体は、内部にディスプレイなどの構成要素が取り付けられる上側筐体、及び内部にキーボードなどの構成要素が取り付けられる下側筐体を有することができる。回転軸の回りに回転するように、上側筐体を下側筐体に取り付けるために、ヒンジを使用することができる。
【０００７】
回転軸に平行に延在するスロット形状の開口部は、上側筐体及び下側筐体を分離することができる。接地トレースを有するフレキシブルプリント回路は、それぞれが対応するキャビティアンテナと整列する３つの電気的に絶縁したスロットを形成するように、スロット形状の開口部を二分することができる。
【０００８】
アンテナは、金属筐体及び他の導電性構造体の一部分から形成されたアンテナ接地を有することができる。アンテナ用の共振素子は、下側筐体の後縁部に沿った細長い通気ポート構造体により支持することができる。
【０００９】
細長い通気ポートは、空気が下側筐体に流入及び下側筐体から流出することを可能にする、通気ポート開口部を有することができる。空気を循環させて、それにより電子デバイス内の構成要素を冷却するために、ファンを使用することができる。
【００１０】
通気ポート構造体は、プラスチックなどの誘電体から形成することができる。アンテナ共振素子は、通気ポート構造体上の金属トレースから形成することができる。アンテナ共振素子構造体の一部は、通気ポート開口部の間に延びることができる。他のアンテナ共振素子構造体は、通気ポート開口部内に貫入することができる。
【００１１】
ビアは、通気ポート開口部の壁部及び通気ポート構造体の他の部分の上のアンテナ共振素子トレースを、同軸ケーブルなどの送信ラインに結合することができる。金属ブラケット、導電性ガスケット、ばね指を有する金属薄板部材、及び他の導電性構造体は、アンテナを電子デバイスの筐体の金属部分に接地するのに使用することができる。
【図面の簡単な説明】
【００１２】
【図１】一実施形態に係る、ラップトップコンピュータなどの例示的な電子デバイスの斜視図である。
【図２】一実施形態に係る、無線回路を有する例示的な電子デバイスの模式図である。
【図３】一実施形態に係る、例示的な逆Ｆアンテナの図である。
【図４】一実施形態に係る、図１に示す種類のラップトップコンピュータ内の上側筐体と下側筐体との間の隙間を橋絡する、ヒンジ及びフレキシブルプリント回路構造体を示す図である。
【図５】一実施形態に係る、通気システムを有するラップトップコンピュータの下側筐体の背面図である。
【図６】一実施形態に係る、アンテナを金属筐体壁に接地するためのばね指を備えた金属薄板部材を有する、例示的なアンテナ構造体の斜視図である。
【図７】一実施形態に係る、半田のリングを使用して金属薄板接地構造体がプラスチックキャリア上の金属トレースに結合され得る様子を示す、例示的なアンテナ構造体の一部分の側断面図である。
【図８】一実施形態に係る、電子デバイス用のアンテナキャリアとして機能することができる、例示的な通気ポート構造体の斜視図である。
【図９】一実施形態に係る、アンテナキャリアとして機能する通気ポート構造体を有する、ラップトップコンピュータ内の例示的な下側筐体の背面図である。
【図１０】一実施形態に係る、ブラケットがアンテナ構造体を筐体に接地するのに使用され得る様子を示す、例示的なラップトップコンピュータの下側筐体の後部分の側断面図である。
【図１１】一実施形態に係る、少なくとも部分的に通気ポート開口部内に貫入するアンテナ共振素子トレースを有する、例示的な通気ポート構造体の斜視図である。
【図１２】一実施形態に係る、通気ポート構造体上に支持されたアンテナを有する、例示的なラップトップコンピュータの側断面図である。
【図１３】一実施形態に係る、通気ポート構造体上に取り付けられたアンテナ構造体を有する、ラップトップコンピュータの下側筐体の例示的な後部分の側断面図である。
【図１４】一実施形態に係る、アンテナ共振素子を支持している、通気ポート構造体の側面図である。
【図１５】一実施形態に係る、アンテナ共振素子を支持している、通気ポート構造体の側断面図である。
【考案を実施するための形態】
【００１３】
図１の電子デバイス１０などの電子デバイスは、無線回路を含むことができる。例えば、電子デバイス１０は、セルラー電話帯域などの長距離通信帯域で動作する無線通信回路、並びに２．４ＧＨｚＢｌｕｅｔｏｏｔｈ（登録商標）帯域並びに２．４ＧＨｚ及び５ＧＨｚＷｉＦｉ（登録商標）無線ローカルエリアネットワーク帯域（ＩＥＥＥ８０２．１１帯域又は無線ローカルエリアネットワーク通信帯域としても呼ばれることがある）などの短距離通信帯域で動作する無線回路を含むことができる。デバイス１０はまた、近距離通信、６０ＧＨｚでの通信、光に基づく無線通信、衛星航法システム通信、又は他の無線通信を実行するための無線通信回路も含むことができる。
【００１４】
デバイス１０は、セルラー電話機、メディアプレーヤ、ゲーミングデバイス、又は他のデバイスなどの、ハンドヘルド型電子デバイスとすることができ、ラップトップコンピュータ、タブレットコンピュータ、又は他のポータブルコンピュータとすることができ、デスクトップコンピュータとすることができ、コンピュータディスプレイとすることができ、組み込み型コンピュータを含むディスプレイとすることができ、テレビ又はセットトップボックスとすることができ、又は他の電子装置とすることができる。デバイス１０がポータブルコンピュータにあるような回転可能な蓋を有する構成は、例として本明細書で説明することがある。しかしながら、これは単なる例示である。デバイス１０は、任意の好適な電子装置とすることができる。
【００１５】
図１の例に示すように、デバイス１０は、筐体１２などの筐体を有することができる。筐体１２は、プラスチック、金属（例えば、アルミニウム）、炭素繊維、ガラス、セラミック、他の材料などの繊維複合材料、及びこれらの材料の組み合わせから形成することができる。筐体１２又は筐体１２の一部分は、筐体構造体が材料の一体化した部品から形成される一体構造を使用して形成することができる。筐体１２又は筐体１２の一部分が、締め具、接着剤、及び他のアタッチメント機構を使用して互いに取り付けられる、フレーム構造体、筐体壁、及び他の構成要素から形成される、複数部品の筐体構造もまた使用することができる。
【００１６】
筐体１２内の構造体の一部は、導電性とすることができる。例えば、金属筐体壁などの筐体１２の金属部分は、導電性とすることができる。筐体１２の他の部分は、プラスチック、ガラス、セラミック、非導電性複合材料などの誘電材料から形成することができる。デバイス１０内のアンテナ構造体が適切に機能するのを確実にするために、アンテナ構造体を筐体１２の導電性部分に対して配置する場合に注意を払わなければならない。所望であれば、筐体１２の一部分は、デバイス１０用のアンテナ構造体の一部を形成することができる。例えば、導電性筐体側壁は、アンテナ接地のすべて又は一部を形成することができる。アンテナ接地は、空洞付きアンテナ用の１つ以上のキャビティを形成する平面部分及び／又は一部分を含むことができる。筐体１２の一部分に加えて、空洞付きアンテナ内のキャビティは、デバイス１０内の金属ブラケット、金属薄板部材、及び他の内部金属構造体、並びに／又は誘電構造体上の金属トレースから形成することができる。金属トレースは、型成形相互接続デバイス技術（例えば、金属に対して異なる親和性を有するプラスチックの複数のショットを含むプラスチック部品の領域上に選択的に金属トレースをめっきするための技術）を使用して、レーザー直接構造化技術（例えば、その後に続く電気めっき金属付着作業のためにプラスチック構造体の選択部分をアクティブにするようにレーザー光露光が使用される技術）を使用して、又は他の金属トレース付着及びパターン化技術を使用して、誘電構造体上に形成することができる。
【００１７】
図１に示すように、デバイス１０は、トラックパッド１８及びキーボード１６などの入出力デバイスを有することができる。デバイス１０はまた、カメラ、マイクロフォン、スピーカ、ボタン、状態インジケータライト、ブザー、センサ、及び他の入出力デバイスなどの、構成要素も有することができる。これらのデバイスは、デバイス１０に対する入力を収集するために使用することができ、デバイス１０のユーザに出力を供給するために使用することができる。デバイス１０内のコネクタポートは、嵌合コネクタ（例えば、オーディオプラグ、ユニバーサルシリアルバスケーブル、デバイス１０をコンピュータ用ディスプレイ、テレビ、又は他のモニタなどに接続するケーブルなどのビデオ及びオーディオデータに対応するデータケーブルなどに関連付けられたコネクタ）を受容することができる。
【００１８】
デバイス１０は、ディスプレイ１４などのディスプレイを含むことができる。ディスプレイ１４は、液晶ディスプレイ（liquid crystal display）（ＬＣＤ）、プラズマディスプレイ、有機発光ダイオード（organic light-emitting diode）（ＯＬＥＤ）ディスプレイ、電気泳動ディスプレイ、又は他のディスプレイ技術を使用して実装されるディスプレイとすることができる。タッチセンサは、ディスプレイ１４内に組み込むことができる（すなわち、ディスプレイ１４は、タッチスクリーンディスプレイとすることができる）、又はディスプレイ１４は、タッチを感知しないものとすることができる。ディスプレイ１４用のタッチセンサは、抵抗式タッチセンサ、静電容量式タッチ、音響タッチセンサ、光に基づくタッチセンサ、力センサ、又は他のタッチ技術を使用して実装されるタッチセンサとすることができる。
【００１９】
デバイス１０は、一体型筐体又は複数部品の筐体を有することができる。図１に示すように、例えば、電子デバイス１０は、上側筐体１２Ａなどの上側筐体部分及び下側筐体１２Ｂなどの下側筐体部分から形成された二体の筐体を有する、ポータブルコンピュータ又は他のデバイスなどのデバイスとすることができる。上側筐体１２Ａは、ディスプレイ１４を含むことができ、ディスプレイ筐体又は蓋として呼ばれることがあり得る。下側筐体１２Ｂは、基体筐体又は主筐体として呼ばれることがあり得る。
【００２０】
筐体１２Ａ及び１２Ｂは、下側筐体１２Ｂの上側縁部及び上側筐体１２Ａの下側縁部に沿って配置されたヒンジ構造体を使用して互いに接続することができる。例えば、筐体１２Ａ及び１２Ｂは、ヒンジ軸２２に沿って筐体１２の対向する左側及び右側に配置されたヒンジ２６Ａ及び２６Ｂにより結合することができる。開口部３０などのスロット形状の開口部は、上側筐体１２Ａと下側筐体１２Ｂとの間に形成することができ、ヒンジ２６Ａ及び２６Ｂによっていずれかの端部に接することができる。金属構造体などの導電性構造体から形成することができるヒンジ２６は、上側筐体１２Ａが下側筐体１２Ｂに対して軸２２の回りを方向２４に回転することを可能にすることができる。スロット３０は、筐体１２Ｂの後縁部に沿って軸２２に平行に延在する。蓋（上側筐体）１２Ａの平面及び下側筐体１２Ｂの平面は、蓋が閉じたときの０度と、蓋が完全に開いたときの９０度、１４０度、又はそれ以上との間で変化する角度により分離することができる。
【００２１】
デバイス１０内に使用することができる例示的な構成要素を示す模式図を、図２に示す。図２に示すように、デバイス１０は、制御回路３０などの記憶及び処理回路を含むことができる。回路３０は、ハードディスクドライブ記憶装置、不揮発性メモリ（例えば、フラッシュメモリ、又はソリッドステートドライブを形成するように構成された他の電気的にプログラムできる読み出し専用メモリ）、揮発性メモリ（例えば、静的又は動的ランダムアクセスメモリ）などの記憶装置を含む場合がある。回路３０内の処理回路は、デバイス１０の動作を制御するために使用される場合がある。この処理回路は、１つ以上のマイクロプロセッサ、マイクロコントローラ、デジタル信号プロセッサ、ベースバンドプロセッサ集積回路、特定用途向け集積回路などに基づいてもよい。
【００２２】
回路３０は、インターネットブラウジングアプリケーション、ボイスオーバー・インターネット・プロトコル（voice-over-internet-protocol）（ＶＯＩＰ）通話アプリケーション、電子メールアプリケーション、メディア再生アプリケーション、オペレーティングシステム機能などのソフトウェアをデバイス１０上で走らせるために使用される場合がある。外部装置との相互作用をサポートするために、通信プロトコルを実施する際に回路３０が使用される場合がある。回路３０を使用して実施できる通信プロトコルとしては、無線ローカルエリアネットワークプロトコル（例えば、ＩＥＥＥ８０２．１１プロトコル（ＷｉＦｉ（登録商標）と呼ぶこともある））、Ｂｌｕｅｔｏｏｔｈ（登録商標）プロトコルなどのその他の短距離無線通信リンク用のプロトコル、及びその他の無線通信プロトコル、が挙げられる。
【００２３】
デバイス１０は、入出力デバイス３２を含むことができる。デバイス１０にデータを供給することを可能とし、デバイス１０から外部デバイスにデータを供給することを可能とするために、入出力デバイス３２を使用することができる。入出力デバイス３２は、ユーザインタフェースデバイス、データポートデバイス、及び他の入出力構成要素を含んでもよい。例えば、入出力デバイスは、タッチスクリーン、タッチセンサ機能を有しないディスプレイ、ボタン、ジョイスティック、スクロールホイール、タッチパッド、キーパッド、キーボード、マイクロフォン、カメラ、スピーカ、状態インジケータ、光源、オーディオジャック及び他のオーディオポート構成要素、デジタルデータポートデバイス、光センサ、加速度計、近接センサ、並びに他のセンサ及び入出力構成要素を含んでもよい。
【００２４】
デバイス１０は、デバイス１０の制御回路３０が外部装置と無線で通信することを可能にする無線通信回路３４を含むことができる。デバイス１０が無線で通信する外部装置は、コンピュータ、セルラー電話機、携帯時計、ルータ若しくは他の無線ローカルエリアネットワーク装置、セルラー電話ネットワーク内の無線基地局、ディスプレイ、又は他の電子装置とすることができる。無線通信回路３４は、高周波（radio-frequency）（ＲＦ）送受信機回路９０及びアンテナ４０などの１つ以上のアンテナを含むことができる。デバイス１０が単一のアンテナを含む構成は、例として本明細書で説明することがあり得る。
【００２５】
所望であれば、デバイス１０は、バッテリ５０などのバッテリを用いて電力を供給することができる。制御回路３０、入出力デバイス３２、無線回路３４、及びバッテリ５０に関連付けられた電力管理回路は、動作中に熱を発生させることがある。これらの構成要素が充分に冷却されることを確実にするために、デバイス１０は、冷却システム５２などの冷却システムを備えることができる。通気システムとして呼ばれることもあり得る冷却システム５２は、デバイス１０の構成要素から熱を除去するための１つ以上のファン及び他の装置を含むことができる。冷却システム５２は、気流ポート（例えば、それを通して冷たい空気を１つ以上の冷却ファンにより引き込むことができ、内部構成要素から発生した熱により暖められた空気を排出することができる、スロット３０に沿って配置された通気ポート構造体内の開口部又はデバイス１０の他の部分）を形成する構造体を含むことができる。冷却ポート、通気ポート、空気排出及び取り込みポートなどとして呼ばれることもあり得る気流ポートは、プラスチック製通気ポート構造体又は冷却システム５２に関連付けられた他の構造体内の開口部のアレイから形成することができる。
【００２６】
高周波送受信機回路９０及びアンテナ（単数又は複数）４０は、１つ以上の高周波通信帯域に対応するために使用することができる。例えば、回路９０は、ＷｉＦｉ（登録商標）及び／又はＢｌｕｅｔｏｏｔｈ（登録商標）通信用の２．４ＧＨｚ帯域に対応することができる無線ローカルエリアネットワーク送受信機回路を含むことができ、所望であれば、５ＧＨｚの送受信機回路（例えば、ＷｉＦｉ（登録商標）用の）を含むことができる。所望であれば、回路９０及びアンテナ（単数又は複数）４０は、他の帯域（例えば、セルラー電話帯域、近距離通信帯域、ミリメートル波周波数での帯域など）での通信に対応することができる。
【００２７】
無線通信回路３４内のアンテナ（単数又は複数）４０は、任意の好適な種類のアンテナを使用して形成することができる。例えば、デバイス１０用のアンテナは、ループアンテナ構造体、パッチアンテナ構造体、逆Ｆアンテナ構造体、スロットアンテナ構造体、平板逆Ｆアンテナ構造体、ヘリカルアンテナ構造体、これらの構造体の混成などから形成される共振素子を含んでもよい。所望であれば、デバイス１０は、空洞付きアンテナを含むことができる。回路３０、入出力デバイス３２、無線回路３４、及びデバイス１０の他の構成要素は、デバイスの筐体１２内に取り付けることができる。
【００２８】
図２に示すように、無線回路３４内の送受信機回路９０は、送信ライン経路９２などの経路を使用してアンテナ４０などのアンテナに結合することができる。送信ライン９２などのデバイス１０内の送信ライン経路は、同軸ケーブルの経路、マイクロストリップ送信ライン、ストリップライン送信ライン、端部結合マイクロストリップ送信ライン、端部結合ストリップライン送信ライン、これらの種類の送信ラインの組み合わせから形成された送信ラインなどを含むことができる。送信ライン９２は、アンテナフィード１１２に結合することができる。図２のアンテナ４０は、例えば、平板逆Ｆアンテナ、スロットアンテナ、ハイブリッド逆Ｆスロットアンテナ、又は、端子９８などの正のアンテナフィード端子及び接地アンテナフィード端子１００などの接地アンテナフィード端子を有するフィード１１２などのアンテナフィードを有する他のアンテナを形成してもよい。正の送信ライン導電体９４は、正のアンテナフィード端子９８に結合されてもよく、接地送信ライン導電体９６は、接地アンテナフィード端子９２に結合されてもよい。他の種類のアンテナフィード構成を、使用することができ、所望であれば、複数のアンテナ４０をデバイス１０内に設けることができる。図２の例示的な給電構成は、単なる例示にすぎない。
【００２９】
フィルタ回路、スイッチング回路、インピーダンス整合回路、及び他の回路を、所望であれば、送信ライン９２内又は無線回路３４の他の部分に挿入することができる。制御回路３０は、送受信機回路９０及び入出力デバイス３２に結合することができる。動作中に、入出力デバイス３２は、デバイス１０からの出力を供給することができ、デバイス１０の外部のソースからの入力を受信することができる。制御回路３０は、無線信号を送受信するために、無線回路３４を使用することができる。
【００３０】
図３は、デバイス１０用の例示的なアンテナの模式図である。図３の例では、アンテナ４０は、逆Ｆアンテナ共振素子１０６及びアンテナ接地１０４を有する逆Ｆアンテナである。共振素子１０６は、アーム１０８などの主共振素子を有することができる。所望であれば、素子１０６は、複数の枝（例えば、アーム１０８から形成された第１の枝、枝１０８’から形成された第２のアームなど）を有することができる。素子１０６の枝のそれぞれの長さは、所望の周波数での通信帯域共振をサポートするように選択することができる（例えば、高帯域共振は、より短い枝を使用してサポートすることができ、低帯域共振は、より長い枝を使用してサポートすることができる）。アンテナ共振はまた、共振素子高調波から、及び／又は寄生アンテナ共振素子を使用することから生成することができる。
【００３１】
図３に示すように、アンテナ共振素子１０６（例えば、アーム１０８）は、復帰経路１１０により接地に結合することができる。アンテナフィード１１２は、アンテナ共振素子アーム１０８と接地１０４との間に復帰経路１１０と並列に結合することができる。アンテナフィード１１２は、アンテナフィード端子９８及び１００から形成することができる。アンテナフィード端子１００は、アンテナ接地１０４に結合することができる。接地１０４は、デバイス１０内の筐体１２の金属部分（例えば、筐体１２Ｂの一部分）、プリント回路又は他のキャリア上の金属トレース、内部の金属ブラケット部材、金属薄板部材、及び他の導電性構造体から形成することができる。
【００３２】
１つ以上のフレキシブルプリント回路上の金属トレースは、スロット３０を二分することができる。例えば、図４に示すデバイス１０の例示的な構成を検討する。図４の例では、筐体１２Ａは、空気で満たされた隙間（スロット）３０により筐体１２Ｂから分離されている。ヒンジ２６Ａ及び２６Ｂは、筐体１２Ａと１２Ｂとの間をデバイス１０の対応する左及び右の縁部に沿って結合することができる。フレキシブルプリント回路１２０−１及び１２０−２は、スロット３０の長さに沿った２つの異なる位置で（すなわち、軸２２に沿った２つの異なる位置で）スロット３０を二分することができ、それにより、スロット３０−１、３０−２、及び３０−３などの３つのスロット（すなわち、スロット３０の３つの別個のスロット形状の部分）を生成する。
【００３３】
フレキシブルプリント回路１２０−１及び１２０−２は、上側筐体１２Ａと下側筐体１２Ｂとの間でディスプレイ信号（すなわち、ディスプレイ１４上に画像を表示することに関連付けられたデータ信号）及び他の信号をルーティングするための信号ライン１２６を含むことができる。接地トレース１２２は、それぞれのフレキシブルプリント回路の外側縁部上に設けることができる（すなわち、それぞれのフレキシブルプリント回路内で、信号ライン１２６は、対向する両側上で接地トレース１２２の側面に配置することができる）。接地トレース１２２は、銅又は他の金属から形成することができ、任意の好適な幅（例えば、１ｍｍから３ｍｍ、１ｍｍ未満、１ｍｍより大きい、など）を有することができる。接地トレース１２２は、ねじ、他の締め具、溶接、導電接着剤、半田、又は他の導電性結合機構を使用して、金属筐体１２Ａ及び１２Ｂに短絡することができる（例えば、導電性接地接続部１２４を参照）。
【００３４】
この種の配置により、スロット（開口部）３０−１、３０−２、及び３０−３は、金属により取り囲むことができる。例えば、スロット３０−１、３０−２、及び３０−３は、筐体の上部及び底部の縁部上の筐体１２Ａ及び１２Ｂの金属部分により取り囲むことができる。ヒンジ２６Ａ及び２６Ｂ並びにトレース１２２もまた、金属から形成することができ、スロット３０−１、３０−２、及び３０−３の形状を画定するのに役立つことができる。図４に示すように、スロット３０−１は、ヒンジ２６Ａにより形成された左側縁部及びフレキシブルプリント回路１２０−１上の接地トレースから形成された対向する右側縁部を有することができる。スロット３０−２は、フレキシブルプリント回路１２０−１から形成された左側縁部及びフレキシブルプリント回路１２０−２から形成された対向する右側縁部を有することができる。スロット３０−３は、フレキシブルプリント回路１２０−２（例えば、プリント回路１２０−２上のトレース１２２）から形成された左側縁部及びヒンジ２６−Ｂから形成された右側縁部を有することができる。
【００３５】
デバイス１０の無線動作の間、スロット３０−１、３０−２、及び３０−３は、デバイス１０内の対応する電気的に絶縁されたアンテナ４０用のアンテナ開口として機能することができる。これらのスロットを取り囲む導電性構造体は、アンテナ４０のそれぞれに対する空洞構造体（例えば、図３のアンテナ接地１０４を形成する空洞形状の接地構造体又は他の接地構造体）を形成することができる。デバイス１０内の別個のスロットを使用してアンテナ４０を形成することにより、アンテナは、多重入出力（multiple-input-multiple-output）（ＭＩＭＯ）アンテナアレイ（例えば、無線ローカルエリアネットワーク通信用の２．４ＧＨｚ及び／若しくは５ＧＨｚ並びに／又は他の好適な周波数、など）を形成するように使用するために、互いからの良好な電気的絶縁を示すことができる。
【００３６】
デバイス１０は、筐体１２Ｂの後縁部に沿って又はデバイス１０内の他の場所に取り付けられた通気ポート構造体を有することができる。通気ポート構造体は、通気ポートを形成する開口部のアレイを有することができる。通気システム５２内のファン（図２）は、開口部を通して筐体１２Ｂ内に空気を取り入れるために使用することができ、開口部を通して筐体１２Ｂ内の回路により暖められた空気を排出するために使用することができる。
【００３７】
筐体１２Ｂの後縁部に沿って形成することができる種類の例示的な通気ポート構造体を、図５の筐体１２Ｂの背面図に示す。図５の例では、下側筐体１２Ｂは、上側金属筐体壁１２Ｂ−１及び下側金属筐体壁１２Ｂ−２を有する。通気ポート構造体１３０は、上側金属筐体壁１２Ｂ−１と下側金属筐体壁１２Ｂ−２との間に筐体１２Ｂの後縁部に沿って取り付けられている。
【００３８】
通気ポート構造体１３０は、通気ポート開口部１３２を有することができる。開口部１３２は、空気が筐体１２Ｂの内部に出入りすることを可能にするために使用することができる。構造体１３０内のそれぞれの気流入口位置及びそれぞれの気流出口位置に関連付けられた１つ以上の開口部１３２があってもよい。開口部１３２は、所望であれば、アレイ（例えば、６〜２０個の開口部のアレイ、４つより多い開口部、３０個より少ない開口部など）に配置することができる。開口部１３２のそれぞれのアレイは、デバイス１０内の異なる対応する通気ポートを形成することができる。例えば、開口部１３２の第１のアレイは、通気ポート１３４−１を形成することができ、開口部１３２の第２のアレイは、通気ポート１３４−２を形成することができ、開口部１３２の第３のアレイは、通気ポート１３４−３を形成することができる。フレキシブルプリント回路１２０−１及び１２０−２は、ポートを形成する開口部（単数又は複数）の間に挿入することができる（例えば、図５の例示的なフレキシブルプリント回路の位置１２０’を参照）。
【００３９】
アンテナ構造体は、デバイス１０内の１つ以上の誘電体支持構造体により支持することができる。例えば、アンテナ（単数又は複数）４０用の金属トレース、金属箔、金属薄板構造体、又は他の導電性構造体は、プラスチック構造体又は他の誘電体構造体上に支持することができる。例として本明細書で説明することがあり得る１つの例示的な配置により、アンテナ（単数又は複数）４０を形成する導電性構造体の一部又はすべて（例えば、アンテナ共振素子１０６並びに／又は接地１０４、フィード及び復帰経路構造体の一部分など）は、デバイス１０用の通気システム（例えば、図２のシステム５２）の一部又はすべてを形成するためにも使用される図５の通気ポート構造体１３０などの、プラスチック構造体上に形成することができる。
【００４０】
キーボード１６及びトラックパッド１８などの構成要素は、上側金属筐体壁１２Ｂ−１内の開口部を通して動作することができる。下側筐体１２Ｂの周辺の周囲で上側壁１２Ｂ−１に結合することができる下側金属筐体壁１２Ｂ−２は、デバイス１０を動作中に卓上又は他の支持構造体上に置くことを可能にする脚又は他の支持構造体を有することができる。デバイス１０がこのように使用されている場合、空気は、図５の通気ポート構造体１３０内の通気ポート開口部から流入及び流出することができる。
【００４１】
デバイス１０内のアンテナ４０の１つ以上用のアンテナ構造体は、筐体１２Ｂの金属部分、通気ポート構造体１３０などのプラスチックキャリア上の金属トレース、並びにブラケット及び金属薄板部材などの金属部材などの、導電性構造体から形成することができる。例として、図６のアンテナ４０について検討する。図６のアンテナ４０により示される種類の構成を有するアンテナは、スロット１３０−１及び／又はスロット１３０−３と整列して筐体１２Ｂ内に取り付けることができる（例として）。
【００４２】
図６の分解斜視図に示すように、アンテナ４０は、金属トレース１４０及び１４２を有することができる。金属トレース１４０は、アンテナ共振素子アームを形成するようにパターン化することができる（例えば、図３の逆Ｆアンテナ共振素子アーム１０８を参照）。金属トレース１４２は、アンテナ接地１０４を形成するのに使用することができる。図６の例では、金属トレース１４０は、通気ポート構造体１３０の一部分の表面上に形成され、金属トレース１４２は、構造体１３０の対向する表面上に形成されている。金属薄板部材１４４は、金属トレース１４２に取り付けることができる。半田接合１４６又は他の導電性取り付け構造体は、金属薄板部材１４４を金属トレース１４２に電気的に結合するのに使用することができる。金属薄板部材１４４は、ばね構造体（ばね）を形成する指状突起部１４７を有することができる。これらのばね構造体は、金属部材１４４及びしたがってトレース１４２を筐体１２Ｂに短絡するために（例えば、アンテナ接地１０４を形成するために）筐体１２Ｂの内側部分を当接することができる。
【００４３】
図６のアンテナ４０に、フィード１１２でアンテナ４０に結合された同軸ケーブル又は他の送信ライン９２を使用して送電することができる。復帰経路１１０は、金属トレース１４０と１４２との間の構造体１３０の表面に沿って延在する金属トレースから形成することができる。フィード１１２用の供給経路の一部分及び復帰経路１１０の一部分は、構造体１３０を貫通するビアを使用して形成することができる（例えば、ビア１１２’及び１１０’を参照）。所望であれば、半田１４６は、図７の例示的な側断面図に示すように、金属部材１４４の周辺を支持体１３０の表面上の金属トレース１４２に取り付けるのに役立つリング形状に形成することができる。
【００４４】
図８は、空気がデバイス１０から流入及び流出することを可能にするために開口部１３２を構造体１３０内に設けることができる様子を示す、通気ポート構造体１３０の一部分の斜視図である。図８の例では、開口部１３２は、矩形の外形を有する。これは単なる例示である。開口部１３２を形成するのに、任意の好適な形状（円形、楕円形、三角形など）を使用することができる。
【００４５】
図９は、通気ポート構造体１３０を下側筐体１２Ｂの壁１２Ｂ−１と１２Ｂ−２との間に筐体１２Ｂの後縁部に沿って取り付けることができる様子を示す、筐体１２Ｂの後部の側面図である。金属トレースは、アンテナ４０の一部分を形成するために（例えば、アンテナ共振素子アーム１０８、フィード１１２、復帰経路１１０、及びアンテナ接地１０４の一部又はすべてなどのアンテナ構造体を形成するために）、通気ポート構造体上にパターン化することができる。図９の例では、開口部１３２は、行及び列を有するアレイを形成し、開口部１３２の１つは、通気ポート構造体の外面上の追加のエリアを提供するために省略されている。アンテナ４０の一部（例えば、フィード１１２用の供給経路１１２Ｐ及び復帰経路１１０）は、そうでなければ省略した開口部により占められるであろうエリア内に延在することができる。アンテナ４０の他の部分（例えば、アーム１０８）は、それぞれの開口部１３２を互いに分離する通気ポート構造体１３０の壁部分に沿って延在することができる。
【００４６】
図１０は、図９のアンテナ４０などのアンテナの端面断面図である。図１０に示すように、例示的な開口部１３２などの開口部は、通気ポート構造体の内面１３０−１から通気ポート構造体の外面１３０−２に、通気ポート構造体１３０を貫通することができる。アンテナ共振素子アーム１０８及び復帰経路１１０用の金属トレースは、表面１３０−２上に形成することができる。復帰経路１１０は、構造体１３０の下方に延在することができ、同軸ケーブル又は他の送信ライン９２内の接地経路に端子１００で接触することができる。金属ブラケット１４３は、軸２２に平行に延在する筐体壁１２Ｂ−１内の溝１４５内で軸２２に平行に延びる波状部分を有することができる。図１０に示すように、ブラケットの波状部分１４１は、ブラケット１４３を筐体壁１２Ｂ−１に短絡するために、筐体壁１２Ｂ−１の溝１４５内で圧縮することができる。ブラケット１４３の一部分１４０Ｂは、導電材料１４７（例えば、半田、溶接、導電接着剤、導電性締め具、導電性フォームから形成された導電性ガスケット、導電性固体エラストマ材料、及び／又は導電性ファブリックなど）により筐体壁１２Ｂ−２に短絡することができる。筐体壁１２Ｂ−１、筐体壁１２Ｂ−２、及び金属ブラケット１４３は、アンテナ接地１０４を形成するのに使用することができる。図９及び図１０のアンテナ４０などのアンテナは、スロット３０−２又はデバイス１０の他の部分に関連付けられたデバイス１０の一部分内に取り付けることができる。
【００４７】
支持構造体１３０上の金属トレースからアンテナ４０を形成するための別の例示的な配置を図１１に示す。図１１の配置により、金属トレース１５０などの一部の金属トレースは、開口部１３２の１つ以上の内壁表面上に形成される。ビア１５２などのビアは、所望であれば、構造体１３０内の壁を貫通して形成することができる（例えば、トレース１５０をアンテナ４０の他の部分に結合するために）。ビア１５２などのビアは、一般的に、共振素子１０６内（例えば、アーム１０８内）、フィード１１２内、復帰経路１１０内、接地１０４内、又はアンテナ４０の他の部分内の金属トレースを一体に結合するために使用することができる。
【００４８】
図１１の例では、共振素子１０６は、開口部１３２の行の間を構造体１３０の表面に沿って延在する主アーム（アーム１０８）を有する。アーム１０８の一部分１５４などの金属トレースは、アンテナ４０の特性を整調するために（例えば、アンテナの帯域幅、共振周波数などを調整するために）設けることができる。例えば、一部分１５４は、アーム１０８の長さを増大させ及び／又は一部分１５４の先端と接地（筐体壁１２Ｂ−２）との間の容量性結合を増大させ、それによりアンテナ４０の共振周波数を減少させるように、長さを増大させることができる。所望であれば、図１１のトレース１５４などの金属トレースは、フィード構造体、復帰経路構造体、及び／又はアンテナ接地構造体を形成するのに使用することができる。金属トレース１５４は、所望であれば、構造体１３０を貫通する１つ以上のビアを使用して、アンテナ４０内の他の構造体に結合することができる。
【００４９】
トレース１５０などの開口部１３２の内面上の金属トレースを使用することにより、アンテナ共振素子１０６のトレース用に使用される表面エリアの量は、開口部１３２のいずれも省略することなく増大することができる（例えば、充分な長さのアンテナ共振素子アームを提供することによりアンテナ性能を調整するために、アンテナ帯域幅を増強するために、など）。アンテナの金属トレースが開口部１３２内に貫入し、アンテナ４０用の追加のエリアを提供するために１つ以上の開口部１３２が構造体１３０から省略される構成もまた、使用することができる。図１１の構成は、単なる例示である。
【００５０】
筐体１２Ｂの後縁部の付近のデバイス１０の側断面図を、図１２に示す。図１２に示すように、ファン及び他の冷却システム構造体（通気システム構造体５２）は、下側筐体１２Ｂの内部内に取り付けることができる。上側壁１２Ｂ−１の一部分１２Ｂ’は、導電性構造体１６２を使用して下側筐体壁１２Ｂ−２に電気的に結合することができる。導電性構造体１６２は、導電性フォーム、導電性ファブリック、導電性固体エラストマ材料、又は他の導電材料から形成された導電性ガスケットとすることができる。開口部１３２’は、通気ポート構造体１３０内の開口部１３２と整列する空気経路（通気開口部）を形成するように、一部分１２Ｂ’内に設けることができる。
【００５１】
アンテナ共振素子１０６などのアンテナ構造体は、通気ポート構造体１３０の外面上の金属トレースから形成することができる。通気ポート構造体１３０は、アンテナ共振素子１０６の一部分１０６’が上側筐体１２Ａの金属部分１２’などの隣接する金属構造体から相対的に離れていて、それによりアンテナ帯域幅を増強するように、凹み部分（例えば、ポート構造体１３０の最外面内の内向きの曲がりを生成する段形状の凹み）を有することができる。上側筐体１２Ａが閉じた位置にある場合、アンテナ信号は、スロット１３０の下側スロット部分３０Ｌを通して送受信することができる。上側筐体１２Ａが開いた位置にある場合（図１２に示すように）、アンテナ信号は、上側スロット部分３０Ｔ及び下側スロット部分３０Ｌの両方を通して送受信することができる。
【００５２】
蓋（上側筐体）１２Ａが閉じた位置にあるときのデバイス１０の側断面図を、図１３に示す。図１３に示すように、アンテナ共振素子１０６に、位置１１２Ｔなどの上側供給位置で（例えば、送信ライン９２Ｔなどの送信ラインを使用して）送電することができる、又は位置１１２Ｌなどの下側供給位置で（例えば、送信ライン９２Ｌなどの送信ラインを使用して）送電することができる。アンテナ４０用のフィードの位置は、アンテナ効率を増強するのに役立つように選択することができる。いくつかの構成では、位置１１２Ｌ内のアンテナ４０用のフィードの配置は、筐体１２Ａと１２Ｂとの間の下側スロット部分３０Ｌを通したアンテナ信号の送受信を増強するのに役立つことができ、経路１７０に沿った不要なアンテナ信号漏洩を最小化することができる。しかし一般的には、アンテナ４０用のフィードは、アンテナ４０の任意の好適な部分に配置することができる。図１３の構成は、単なる例示である。
【００５３】
図１４は、アンテナ共振素子１０６がそれぞれの通気ポート開口部１３２の間の通気ポート支持体１３０の一部分により支持されている金属トレースから形成されたアーム１０８を有する、例示的な構成におけるアンテナ４０の側面図である。金属トレース１５０は、開口部１３２の１つの内面上に形成され、ビア１５２に結合されている。ビア１５２は、トレース１５０（図１４の例では復帰経路１１０として機能する）を金属トレース１７４の金属トレース部分１７４’に電気的に結合する。金属トレース１７４は、アンテナ接地１０４の一部として機能し、通気ポート構造体１３０の表面１７２上に形成することができる。同軸ケーブル又は他の送信ライン９２は、正のアンテナフィード端子に結合された（例えば、アーム１０８から延在するトレースの一部分に結合されたビアを介して）正の信号ラインを有することができ、トレース部分１７４’上の接地アンテナフィード端子１００に結合された接地信号ラインを有することができる。
【００５４】
ライン１７６に沿って取られ、方向１７８で見た、図１４のアンテナ４０などのアンテナの断面図を、図１５に示す。図１５の例示的な構成では、金属ブラケット１４３Ｂは、筐体壁１２Ｂ−１の一部分１２Ｂ’に取り付けられ、ねじ１９２を使用して筐体壁１２Ｂ−１に短絡されている。ブラケット１４３Ｂは、ノード１９０でトレース１７４に結合することができる（例えば、直接接触により、半田若しくは導電接着剤などの導電材料を使用して、溶接、締め具を使用して、又は他の導電性構造体を使用して）。導電性ガスケット１６２は、金属トレース１７４を筐体壁１２Ｂ−２の内面に短絡するために使用することができる。アンテナ４０は、１つ以上の通気ポート開口部１３２内に突出する金属トレースを有することができる（例えば、アンテナ共振素子１０６の一部分１０６Ｐを参照）。
【００５５】
一実施形態によれば、スロット形状の開口部により分離される、ディスプレイを収容する上側筐体部分及び下側筐体部分を有する金属筐体、上側筐体部分を下側筐体部分に接続するスロット形状の開口部の対向する縁部の第１及び第２のヒンジ、スロット形状の開口部に沿って対応する第１及び第２の位置でスロット形状の開口部を橋絡する第１及び第２の導電性構造体であって、スロット形状の開口部の第１の部分は、第１のヒンジと第１の導電性構造体との間に形成され、スロット形状の開口部の第２の部分は、第１の導電性構造体と第２の導電性構造体との間に形成され、スロット形状の開口部の第３の部分は、第２の導電性構造体と第２のヒンジとの間に形成される、第１及び第２の導電性構造体、並びに第１のスロット部分を通してアンテナ信号を送受信する第１のアンテナ、第２のスロット部分を通してアンテナ信号を送受信する第２のアンテナ、及び第３のスロット部分を通してアンテナ信号を送受信する第３のアンテナ、を含むポータブルコンピュータが提供される。
【００５６】
別の実施形態によれば、ポータブルコンピュータは、下側筐体の縁部に沿って延在し、気流通路として機能する通気ポート開口部を有する通気ポート構造体を含む。
【００５７】
別の実施形態によれば、第１、第２、及び第３のアンテナの少なくともいくつかは、通気ポート構造体上の金属トレースから形成される。
【００５８】
別の実施形態によれば、金属トレースの少なくとも一部分は、通気ポート開口部の少なくとも１つの中に延在する。
【００５９】
別の実施形態によれば、ポータブルコンピュータは、通気ポート構造体の一部分を貫通するビアを含む。
【００６０】
別の実施形態によれば、通気ポート開口部内に延在する金属トレースの一部分は、ビアに接続される。
【００６１】
別の実施形態によれば、第１及び第２の導電性構造体は、対応する第１及び第２のフレキシブルプリント回路上の金属トレースを含み、第１、第２、及び第３のアンテナは、それぞれ、プラスチック構造体上の逆Ｆアンテナ共振素子を有する。
【００６２】
別の実施形態によれば、プラスチック構造体は、空気が通過する複数の通気ポート開口部を有する。
【００６３】
別の実施形態によれば、ポータブルコンピュータは、空気を通気ポート開口部を通して誘導する下側筐体部分内のファン構造体を含む。
【００６４】
別の実施形態によれば、逆Ｆアンテナ共振素子は、プラスチック構造体上の金属トレースを含み、金属トレースの少なくとも一部分は、通気ポート開口部の少なくとも１つの中に延在する。
【００６５】
別の実施形態によれば、逆Ｆアンテナ共振素子は、プラスチック構造体上の金属トレースを含み、金属トレースの少なくとも一部分は、通気ポート開口部の少なくとも２つの間に延在する。
【００６６】
一実施形態によれば、少なくとも１つの通気ポート開口部を有するプラスチック構造体、空気を通気ポート開口部を通して誘導するファン、及びプラスチック構造体上のアンテナ共振素子を含む装置が提供される。
【００６７】
別の実施形態によれば、アンテナ共振素子は、プラスチック構造体上の金属トレースを含む。
【００６８】
別の実施形態によれば、金属トレースは、通気ポート開口部内に延在する部分を有する。
【００６９】
別の実施形態によれば、通気ポート開口部は、複数の通気ポート開口部のうちの１つを含み、金属トレースは、通気ポート開口部の間に延在するアームを含む。
【００７０】
別の実施形態によれば、装置は、第１の筐体、第１の筐体内のディスプレイ、内部にファン及びプラスチック構造体が取り付けられる第２の筐体を含み、第２の筐体は、金属筐体壁、金属トレースをラップトップコンピュータの金属筐体壁に短絡する指状突起部を有する金属部材、並びに第１及び第２の筐体の間に第１、第２、及び第３のスロット形状の開口部を形成するように、第１及び第２の筐体の間の開口部を横切って延在する第１及び第２のフレキシブルプリント回路を有する。
【００７１】
一実施形態によれば、金属筐体、金属筐体内の電気構成要素、複数の通気ポート開口部を有するプラスチック製通気ポート構造体、空気を通気ポート開口部を通して誘導する金属筐体内のファン、及びプラスチック製通気ポート構造体上の金属トレースから形成されたアンテナ共振素子を含む電子デバイスが提供される。
【００７２】
別の実施形態によれば、金属トレースの一部分は、通気ポート開口部の少なくとも１つの中に延在する。
【００７３】
別の実施形態によれば、電子デバイスは、プラスチック製通気ポート構造体の一部分を貫通し、金属トレースに結合された、金属が充填されたビアを含む。
【００７４】
別の実施形態によれば、電子デバイスは、金属筐体と金属トレースとの間に延在する導電性ガスケットを含む。
【００７５】
別の実施形態によれば、金属トレースは、第１のアンテナ用の第１のアンテナ共振素子を形成し、電子デバイスは、対応する第２及び第３のアンテナ用の通気ポート構造体上の第２及び第３のアンテナ共振素子を形成する、追加の金属トレースを含む。
【００７６】
別の実施形態によれば、電子デバイスは、第１及び第２のアンテナの間の第１のフレキシブルプリント回路、並びに第２及び第３のアンテナの間の第２のフレキシブルプリント回路を含む。
【００７７】
別の実施形態によれば、電子デバイスは、ディスプレイを含み、第１及び第２のフレキシブルプリント回路は、信号ラインを含み、信号ラインの少なくとも１つは、ディスプレイ用の信号を搬送する。
【００７８】
上述の内容は単なる例示にすぎず、説明された実施形態の範囲及び趣旨から逸脱することなく、当業者によって様々な修正を行うことができる。前述の実施形態は、個々に又は任意の組み合わせで実行することができる。
【図１】
0003210429.tif 000003
【図２】
0003210429.tif 000004
【図３】
0003210429.tif 000005
【図４】
0003210429.tif 000006
【図５】
0003210429.tif 000007
【図６】
0003210429.tif 000008
【図７】
0003210429.tif 000009
【図８】
0003210429.tif 000010
【図９】
0003210429.tif 000011
【図１０】
0003210429.tif 000012
【図１１】
0003210429.tif 000013
【図１２】
0003210429.tif 000014
【図１３】
0003210429.tif 000015
【図１４】
0003210429.tif 000016
【図１５】
0003210429.tif 000017
【手続補正書】
【提出日】平成29年3月8日(2017.3.8)
【手続補正１】
【補正対象書類名】実用新案登録請求の範囲
【補正対象項目名】全文
【補正方法】変更
【補正の内容】
【実用新案登録請求の範囲】
【請求項１】
スロット形状の開口部により分離された、ディスプレイを収容する上側筐体部分、及び下側筐体部分を有する金属筐体と、
前記上側筐体部分を前記下側筐体部分に接続する、前記スロット形状の開口部の対向する縁部の第１及び第２のヒンジと、
前記スロット形状の開口部に沿って対応する第１及び第２の位置で前記スロット形状の開口部を橋絡する第１及び第２の導電性構造体であって、前記スロット形状の開口部の第１の部分は、前記第１のヒンジと前記第１の導電性構造体との間に形成され、前記スロット形状の開口部の第２の部分は、前記第１の導電性構造体と前記第２の導電性構造体との間に形成され、前記スロット形状の開口部の第３の部分は、前記第２の導電性構造体と前記第２のヒンジとの間に形成される、第１及び第２の導電性構造体と、
前記スロット形状の開口部の第１の部分を通してアンテナ信号を送受信する第１のアンテナ、前記スロット形状の開口部の第２の部分を通してアンテナ信号を送受信する第２のアンテナ、及び前記スロット形状の開口部の第３の部分を通してアンテナ信号を送受信する第３のアンテナと、
を備えるポータブルコンピュータ。
【請求項２】
前記下側筐体部分の縁部に沿って延在し、気流通路として機能する通気ポート開口部を有する通気ポート構造体を更に備える、請求項１に記載のポータブルコンピュータ。
【請求項３】
前記第１、第２、及び第３のアンテナの少なくともいくつかが、前記通気ポート構造体上の金属トレースから形成される、請求項２に記載のポータブルコンピュータ。
【請求項４】
前記金属トレースの少なくとも一部分が、前記通気ポート開口部の少なくとも１つの中に延在する、請求項３に記載のポータブルコンピュータ。
【請求項５】
前記通気ポート構造体の一部分を貫通するビアを更に備える、請求項４に記載のポータブルコンピュータ。
【請求項６】
前記通気ポート開口部内に延在する前記金属トレースの前記一部分が、前記ビアに接続される、請求項５に記載のポータブルコンピュータ。
【請求項７】
前記第１及び第２の導電性構造体が、対応する第１及び第２のフレキシブルプリント回路上の金属トレースを含み、前記第１、第２、及び第３のアンテナが、それぞれ、プラスチック構造体上の逆Ｆアンテナ共振素子を有する、請求項１に記載のポータブルコンピュータ。
【請求項８】
前記プラスチック構造体が、空気が通過する複数の通気ポート開口部を有し、前記ポータブルコンピュータが、前記通気ポート開口部を通して空気を誘導する前記下側筐体部分内のファン構造体を更に備える、請求項７に記載のポータブルコンピュータ。
【請求項９】
前記逆Ｆアンテナ共振素子が、前記プラスチック構造体上の金属トレースを含み、前記金属トレースの少なくとも一部分は、前記通気ポート開口部の少なくとも１つの中に延在する、請求項８に記載のポータブルコンピュータ。
【請求項１０】
前記逆Ｆアンテナ共振素子が、前記プラスチック構造体上の金属トレースを含み、前記金属トレースの少なくとも一部分は、前記通気ポート開口部の少なくとも２つの間に延在する、請求項８に記載のポータブルコンピュータ。
【請求項１１】
少なくとも１つの通気ポート開口部を有するプラスチック構造体と、
前記通気ポート開口部を通して空気を誘導するファンと、
前記プラスチック構造体上のアンテナ共振素子と、
を備える装置。
【請求項１２】
前記アンテナ共振素子が、前記プラスチック構造体上の金属トレースを含み、前記金属トレースは、前記通気ポート開口部内に延在する部分を有する、請求項１１に記載の装置。
【請求項１３】
前記通気ポート開口部が、複数の通気ポート開口部のうちの１つを含み、前記金属トレースが、前記通気ポート開口部の間に延在するアームを含む、請求項１２に記載の装置。
【請求項１４】
第１の筐体と、
前記第１の筐体内のディスプレイと、
金属筐体壁を有する、内部に前記ファン及び前記プラスチック構造体が取り付けられる第２の筐体と、
金属トレースを前記金属筐体壁に短絡する指状突起部を有する金属部材と、
前記第１及び第２の筐体の間に第１、第２、及び第３のスロット形状の開口部を形成するように、前記第１及び第２の筐体の間の開口部を横切って延在する第１及び第２のフレキシブルプリント回路と、
を更に備える、請求項１１に記載の装置。
【請求項１５】
金属筐体と、
前記金属筐体内の電気構成要素と、
複数の通気ポート開口部を有するプラスチック製通気ポート構造体と、
前記通気ポート開口部を通して空気を誘導する前記金属筐体内のファンと、
前記プラスチック製通気ポート構造体上の金属トレースから形成されたアンテナ共振素子と、
を備える電子デバイス。
【請求項１６】
前記金属トレースの一部分が、前記通気ポート開口部の少なくとも１つの中に延在する、請求項１５に記載の電子デバイス。
【請求項１７】
前記プラスチック製通気ポート構造体の一部分を貫通し、前記金属トレースに結合された、金属が充填されたビアを更に備える、請求項１６に記載の電子デバイス。
【請求項１８】
前記金属筐体と前記金属トレースとの間に延在する導電性ガスケットを更に備える、請求項１５に記載の電子デバイス。
【請求項１９】
前記金属トレースが、第１のアンテナ用の第１のアンテナ共振素子を形成し、前記電子デバイスが、対応する第２及び第３のアンテナ用の前記通気ポート構造体上の第２及び第３のアンテナ共振素子を形成する、追加の金属トレースを更に備える、請求項１５に記載の電子デバイス。
【請求項２０】
前記第１及び第２のアンテナの間の第１のフレキシブルプリント回路と、
前記第２及び第３のアンテナの間の第２のフレキシブルプリント回路と、
ディスプレイと、
を更に備え、前記第１及び第２のフレキシブルプリント回路は、信号ラインを含み、前記信号ラインの少なくとも１つは、前記ディスプレイ用の信号を搬送する、請求項１９に記載の電子デバイス。